(57)【要約】      （修正有）【課題】小型特殊自動車として許容される全長の範囲で公道を走行できることを可能とする作業用車両ホイールローダに装着する畜産機械器具アタッチメントのベールグラブを提供する。【解決手段】作業用車両ホイールローダの装着部Ｚに装着する畜産機械器具アタッチメントのベールグラブ１０において、未使用時にベールグラブを格納する際に、左右のベールアーム先端同士が合掌し突っ張り合う事で格納できない事を防止するために、（１）左右のベールアーム先端同士が合掌し突っ張り合う箇所に、突っ張らないようにスライド誘導出来る部材を設けることにより、左右ベールアームがスライド誘導作動する事でベールグラブが折りたためる装置となり、（２）左側ベールグラブから先に折りたたみ、遅延して右側ベールグラブが折りたたまれる装置となる、構成を有する。【選択図】図１
0003230947.tif 000002
【実用新案登録請求の範囲】
【請求項１】
作業用車両ホイールローダに装着する畜産機械器具アタッチメントのベールグラブは、未使用時は左右のベール部が湾曲した枠状であるため左右のベールグラブは先端で合掌する形状になるため、従前小型特殊自動車として許容される全長を超えることから、アタッチメント部分の左右のベールグラブに夫々誘導連結可動部を１個所設け、ベールグラブをホイールローダ本体のキャリアＷＥＬＤ側に折りたためることを特長とするベールグラブ。
【請求項２】
請求項１の畜産機械器具アタッチメントの左右のベールグラブは、夫々誘導連結可動部を１個所設けたことにより、ホイールローダにアタッチメントのベールグラブを装着した状態で牧草地まで、小型特殊自動車として許容される全長の範囲で公道を走行できることを特長とする。
【考案の詳細な説明】
【技術分野】
【０００１】  ベールグラブは、農業用機械器具の畜産機械器具に含まれるもので、作業用車両であるホイールローダのアタッチメントとしてベールグラブは使用され、その役目及び使途については、乳牛・肉牛・競走馬等家畜向けの給餌用牧草を刈り取り、ロール状に束ね、ビニール樹脂により梱包した状態のロール状牧草を、作業用車両であるホイールローダの前面作業部位に装着されたアタッチメントのベールグラブにより、ロール状牧草を挟み込んで移動運搬することを目的とする作業用アタッチメントになります。【０００２】従来、作業用車両であるホイールローダの先端に装着される作業用アタッチメントのなかでも、極めて限られた牧草地において使用され、一般道路等の公道ではアタッチメントを含めた作業用車両であるホイールローダの全長が大型特殊自動車の範疇となることが現在の道路交通法上の取り扱い車両であった。
【背景技術】
【０００３】従来、枠状湾曲するベールグラブは、折りたためる構造には消極的であったが、左右のベールグラブに誘導連結可動部を設け、ベールグラブに関節用支持を設けることによりベールグラブをホイールローダ本体のキャリアＷＥＬＤ側に折りたためる構造を採用することにより可能となった。
【先行技術文献】
【特許文献】
【０００４】
【特許文献】なし
【考案の概要】
【考案が解決しようとする課題】
【０００５】従来、アタッチメントのベールグラブ装着時は、従前小型特殊自動車として許容される全長を超え、他の運搬車両により牧草地まで農作業用車両を搬送しなければならず、多くの時間と経費の出費を余儀なくされ運搬車両のレンタル経費の出費は経営に大きな影響を与えていた。
【課題を解決するための手段】
【０００６】作業用車両ホイールローダの畜産機械器具アタッチメントのベールグラブは、未使用時は左右のベール部が湾曲した枠状であるため左右のベールグラブは先端で合掌する形状になるため、従前小型特殊自動車として許容される全長を超えることから、アタッチメント部分の左右のベールグラブに夫々誘導連結可動部を１個所設け、ベールグラブをホイールローダ本体のキャリアＷＥＬＤ側に折りたためる構造を考案した。
【考案の効果】
【０００７】畜産機械器具アタッチメントの左右のベールグラブは、夫々誘導連結可動部を１個所設けたことにより、ホイールローダにアタッチメントのベールグラブを装着した状態で牧草地まで、小型特殊自動車として許容される全長の範囲で公道を走行できることを可能とすることを獲得することが出来た。
【図面の簡単な説明】
【０００８】
【図１】本考案、作業用車両ホイールローダの畜産機械器具アタッチメントのベールグラブを使用時の左側面図
【図２】本考案、ａ）作業用車両ホイールローダの畜産機械器具アタッチメントのベールグラブを使用時の斜視図、ｂ）作業用車両ホイールローダの畜産機械器具アタッチメントのベールグラブを折りたたみ格納時の斜視図
【図３】本考案、ａ）作業用車両ホイールローダの畜産機械器具アタッチメントのベールグラブを使用時の正面図、ｂ）作業用車両ホイールローダの畜産機械器具アタッチメントのベールグラブを折りたたみ格納時の正面図
【図４】本考案、アタッチメントのベールグラブを使用時及び折りたたみ格納時の上からの平面図
【図５】本考案、アタッチメントのベールグラブを使用時及び折りたたみ格納時の上からの平面図でベールグラブ誘導連結可動部を説明する平面図
【考案を実施するための形態】
【０００９】本考案を実施する方法を図１により説明すると、作業用車両ホイールローダの装着部Ｚに、キャリアＷＥＬＤ４０を介して、畜産機械器具アタッチメントのベールグラブ１０が牧草ロールを挟む使用時の左側面図であるが、小径牧草ロール１３から大径牧草ロール１２をベールグラブ１０により挟み込み運搬する状態を示すものです。
【００１０】本考案を図２で説明すると、畜産機械器具アタッチメントのベールグラブ１０の開放時ａ）であり、折り畳んだ状態ｂ）の斜視図でベールグラブ１０は油圧シリンダー５０により、折り折り畳まれた左ベールグラブ２０は、キャリアＷＥＬＤ４０側に近位畳まれ、右ベールグラブ２１は一番外側に折り畳まれ格納される。
【００１１】本考案、畜産機械器具アタッチメントのベールグラブ１０を正面から見た平面図図３のとおり、ベールグラブ１０を開放時ａ）はキャリアＷＥＬＤ４０両端に接続される、ベールグラブ１０を折り畳まれた格納状態ｂ）であるが、折り折り畳まれた左ベールグラブ２０は、キャリアＷＥＬＤ４０側に近位畳まれ、右ベールグラブ２１は一番外側に折り畳まれた状態になる。
【００１２】本考案、畜産機械器具アタッチメントのベールグラブ１０の左右のベールグラブに誘導連結可動部６０−２が小径牧草ロール１２及び大径牧草ロール１３にベールグラブ１０が最善の位置にベールグラブ１０を誘導する状態とベールグラブ１０を折り畳んだ状態の誘導連結可動部６０−１の状態を獲得することが出来た。
【実施例】
【００１３】実施例として、図５で説明すると、本考案、畜産機械器具アタッチメントのベールグラブ１０の誘導連結可動部６０−１の状態では、ベールグラブ１０の先端が合掌状態から誘導連結可動部６０−２が前部に誘導されることにより、左ベールグラブ２０は、キャリアＷＥＬＤ４０側に近位畳まれ、右ベールグラブ２１は一番外側に折り畳まれた状態になる。【００１４】この本考案、畜産機械器具アタッチメントのベールグラブ１０により、折り畳まれ格納状態で作業用車両ホイールローダＸに装着し公道を小型特殊自動車として許容される全長を超えずに走行できることとなった。【００１５】本考案、により、アタッチメントを含めた作業用車両であるホイールローダの全長が小型特殊自動車の道路交通法上の取り扱い車両として運搬車両の経費負担を軽減することができた。【００１６】
【符号の説明】
【００１７】Ｘ・・・ホイールローダ作業車両本体
Ｙ・・・ホイールローダ作業車両のアタッチメント支持アーム
Ｚ・・・ホイールローダ作業車両とアタッチメント接続部
１０・・・左ベールグラブ作業時
１１・・・右ベールグラブ作業時
１２・・・大径牧草ロール
１３・・・小径牧草ロール
２０・・・左ベールグラブ作業時
２１・・・右ベールグラブ作業時
４０・・・キャリアＷＥＬＤ
５０・・・左右ベールグラブの開閉用油圧シリンダー
６０−１・・ベールグラブ誘導連結可動部で牧草ロール移動・搬送使用時
６０−２・・ベールグラブ誘導連結可動部でキャリアＷＥＬＤへの折りたたみ格納時
【図１】
0003230947.tif 000003
【図２】
0003230947.tif 000004
【図３】
0003230947.tif 000005
【図４】
0003230947.tif 000006
【図５】
0003230947.tif 000007
【手続補正書】
【提出日】令和2年6月17日(2020.6.17)
【手続補正１】
【補正対象書類名】実用新案登録請求の範囲
【補正対象項目名】全文
【補正方法】変更
【補正の内容】
【実用新案登録請求の範囲】
【請求項１】
作業用車両ホイールローダに装着する畜産機械器具アタッチメントとしてベールグラブは使用されるが、未使用時は左右のベール部が湾曲した枠状であるため左右のベールグラブは閉鎖時に先端で合掌する形状になるため、従前小型特殊自動車として許容される全長を超えていたことから、アタッチメント部分の左右のベールグラブの本体キャリアＷＥＬＤ側接続支持部に夫々誘導連結可動部を１個所設け、左右のベールグラブ本体キャリアＷＥＬＤ側付け根部分を支持部として、ベールグラブの支持部が外側方向にスライドする誘導連結可動部を設け、左ベールグラブから先に折りたたみ、遅延して右ベールグラブが折りたたまれ、ベールグラブが合掌せずにホイールローダ本体のキャリアＷＥＬＤ側に折りたためることを特徴とするベールグラブ。
【請求項２】
作業用車両ホイールローダに装着する畜産機械器具アタッチメントとしてベールグラブは、本体キャリアＷＥＬＤ側接続支持部に夫々誘導連結可動部を１個所設けたことにより、ホイールローダにアタッチメントのベールグラブを装着した状態で小型特殊自動車として許容される全長の範囲でベールグラブをホイールローダ本体のキャリアＷＥＬＤ側に折りたたみ牧草地までの一般公道を自走できることを特徴とする請求項１記載のベールグラブ。
【手続補正書】
【提出日】令和2年9月11日(2020.9.11)
【手続補正１】
【補正対象書類名】実用新案登録請求の範囲
【補正対象項目名】全文
【補正方法】変更
【補正の内容】
【実用新案登録請求の範囲】
【請求項１】
作業用車両ホイールローダに装着する畜産機械器具アタッチメントのベールグラブにおいて、（１）ベールグラブ未使用時は左右のベール部が湾曲した枠状であるため左右のベールグラブは閉鎖時に先端で合掌するが、左右のベールグラブの本体キャリアＷＥＬＤ側接続支持部に夫々誘導連結可動部を１個所設け、ベールグラブの支持部が外側方向にスライドし誘導後にベールグラブが折りたためる構造となり、（２）左ベールグラブから先に折りたたみ、遅延して右ベールグラブが折りたたまれる構造となり、以上の（１）〜（２）の構成からなるベールグラブが合掌せずにホイールローダ本体のキャリアＷＥＬＤ側に折りたたむ装置。
【手続補正書】
【提出日】令和2年12月4日(2020.12.4)
【手続補正１】
【補正対象書類名】実用新案登録請求の範囲
【補正対象項目名】全文
【補正方法】変更
【補正の内容】
【実用新案登録請求の範囲】
【請求項１】
作業用車両ホイールローダに装着する畜産機械器具アタッチメントのベールグラブにおいて未使用時にベールグラブを格納する際に、左右のベールアーム先端同士が合掌し突っ張り合う事で格納できない事を防止するための装置であり、（１）左右のベールアーム先端同士が合掌し突っ張り合う箇所に、突っ張らないようにスライド誘導出来る部材を設けることにより、左右ベールアームがスライド誘導作動する事でベールグラブが折りたためる装置となり、（２）左側ベールグラブから先に折りたたみ、遅延して右側ベールグラブが折りたたまれる装置となるような（１）〜（２）の構成を特徴とするベールグラブを合掌せずにホイールローダ本体の側に折りたたむ装置。